(57)【要約】  本開示は、ＩＡＢネットワークにおけるＩＡＢノード情報の処理方法及び装置を提供し、当該方法は、第２のＩＡＢノードが、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信することを含む。本開示によると、既存技術において無線リンクが変化されてＩＡＢノードが他のノードにハンドオーバーした後に下り通信を行うことができない問題を解決し、ＩＡＢノードによる完璧なハンドオーバーを確保する効果を実現することができる。【選択図】図４
2021529472.tif 000002
【特許請求の範囲】
【請求項１】
アクセス・バックホール統合（ＩＡＢ）ネットワークにおけるＩＡＢノード情報の処理方法であって、
第２のＩＡＢノードが、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信することを含む、ＩＡＢネットワークにおけるＩＡＢノード情報の処理方法。
【請求項２】
前記第２のＩＡＢノードが第１のＩＡＢノードから送信された通知情報を受信する前に、
前記ＩＡＢネットワークにおける第１のＩＡＢノードが、第３のＩＡＢノードから第４のＩＡＢノードへ接続ハンドオーバー及び／又は接続再構築することをさらに含む、請求項１に記載の方法。
【請求項３】
前記第２のＩＡＢノードが第１のＩＡＢノードから送信された通知情報を受信した後、
前記第２のＩＡＢノードが、前記通知情報を前記第２のＩＡＢに接続されたユーザ端末（ＵＥ）へ通知することをさらに含む、請求項２に記載の方法。
【請求項４】
前記第２のＩＡＢノードは、ＩＡＢノードとの間のインターフェースを介する方式、Ａｄａｐｔ層の制御ＰＤＵの交換を行う方式、ＩＡＢ  ＤｏｎｏｒによってＲＲＣ層のシグナル転送を行う方式、ＩＡＢ  ＤｏｎｏｒによってＦ１ＡＰ層のシグナル転送を行う方式のうちの少なくとも１つによって前記通知情報を受信する、請求項３に記載の方法。
【請求項５】
前記ＵＥは、各ＵＥと独立したＲＲＣ層のシグナル交換を行う方式、放送チャネルを介して通知する方式のうちの少なくとも１つによって前記通知情報を受信する、請求項１に記載の方法。
【請求項６】
アクセス・バックホール統合（ＩＡＢ）ネットワークにおけるＩＡＢノード情報の処理方法であって、
ＩＡＢネットワークにおける第１のＩＡＢノードが第３のＩＡＢノードから第４のＩＡＢノードへの接続ハンドオーバー及び／又は接続再構築を行う過程において、ＩＡＢ  Ｄｏｎｏｒノードが、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む、ルート更新に関連するＩＡＢノードへルート配置情報を送信することを含む、ＩＡＢネットワークにおけるＩＡＢノード情報の処理方法。
【請求項７】
ＩＡＢ  Ｄｏｎｏｒノードがルート更新に関連するＩＡＢノードへルート配置情報を送信した後、
前記ＩＡＢ  Ｄｏｎｏｒノードが、前記関連するＩＡＢノードから送信されたルート配置確認情報を受信することをさらに含む、請求項６に記載の方法。
【請求項８】
前記ＩＡＢ  Ｄｏｎｏｒノードが、前記第３のＩＡＢノードから前記第４のＩＡＢノードまでの一時的なルートを配置することをさらに含み、
前記一時的なルート配置は、前記一時的なルートにおける全てのＩＡＢノードのルート配置を含む、請求項６に記載の方法。
【請求項９】
前記ルート配置情報は、接続ハンドオーバー及び／又は接続再構築後に削除したルート情報、接続ハンドオーバー及び／又は接続再構築後に新規に配置されたルート配置情報、前記新規に配置されたルート配置情報の使用開始情報のうちの少なくとも１つを含む、請求項６に記載の方法。
【請求項１０】
前記新規に配置されたルート配置情報は、新規に配置されたルートの前記第３のＩＡＢノード及び対応する次のホップの情報を含み、
前記次のホップの情報は、次のホップに隣接するＩＡＢノードの識別情報及び／又は次のホップに隣接するＩＡＢノードに対して送信を行ったＲＬＣエンティティの識別情報である、請求項９に記載の方法。
【請求項１１】
前記ルート配置情報又は前記ルート配置確認情報を伝送する方式は、ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つを含む、請求項７に記載の方法。
【請求項１２】
アクセス・バックホール統合（ＩＡＢ）ネットワークにおけるＩＡＢノード情報の処理方法であって、
ＩＡＢネットワークにおける第１のＩＡＢノードが第３のＩＡＢノードから第４のＩＡＢノードへの接続ハンドオーバー及び／又は接続再構築を完了した後、前記第３のＩＡＢノードが、前記ＩＡＢ  Ｄｏｎｏｒノードへ下りデータ伝送状態情報を送信することを含む、ＩＡＢネットワークにおけるＩＡＢノード情報の処理方法。
【請求項１３】
前記下りデータ伝送状態情報は、各ＵＥベアラの識別子、前記ベアラの送信された最大のＰＤＣＰ  ＳＮ番号、前記ベアラの伝送に成功した最大のＰＤＣＰ  ＳＮ番号、前記ベアラの再伝送された最大のＰＤＣＰ  ＳＮ番号、及び、前記ベアラの再伝送に成功した最大のＰＤＣＰ  ＳＮ番号のうちの少なくとも１つの情報を含む請求項１２に記載の方法。
【請求項１４】
ＵＥベアラの識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、ＴＥＩＤのうちの少なくとも１つを含む請求項１３に記載の方法。
【請求項１５】
前記下りデータ伝送状態情報を送信する方式は、
ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、及び、ＩＡＢノードとＩＡＢ  Ｄｏｎｏｒとの間のＡｄａｐｔ層制御メッセージを介する方式のうちの少なくとも１つを含む請求項１２に記載の方法。
【請求項１６】
前記第３のＩＡＢノードが、Ａｄａｐｔ層で各データパケットにおけるＵＥベアラ識別子とＰＤＣＰ  ＳＮ番号を読み取ることをさらに含む請求項１３に記載の方法。
【請求項１７】
アクセス・バックホール統合（ＩＡＢネットワーク）における第２のＩＡＢノード側に適用される、ＩＡＢネットワークにおけるＩＡＢノード情報の処理装置であって、
接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信するように構成される第１の受信モジュールを含む、ＩＡＢネットワークにおけるＩＡＢノード情報の処理装置。
【請求項１８】
ＩＡＢネットワークにおけるＩＡＢノードが接続ハンドオーバー及び／又は接続再構築を行うことは、前記ＩＡＢネットワークにおける第１のＩＡＢノードが第３のＩＡＢノードから第４のＩＡＢノードに接続ハンドオーバー及び／又は接続再構築することである、請求項１７に記載の装置。
【請求項１９】
前記通知情報を前記第２のＩＡＢに接続されたユーザ端末（ＵＥ）に通知するように構成される通知モジュールを含む、請求項１８に記載の装置。
【請求項２０】
前記第２のＩＡＢノードは、ＩＡＢノードとの間のインターフェースを介する方式、Ａｄａｐｔ層の制御ＰＤＵの交換を行う方式、ＩＡＢ  ＤｏｎｏｒによってＲＲＣ層のシグナル転送を行う方式、ＩＡＢ  ＤｏｎｏｒによってＦ１ＡＰ層のシグナル転送を行う方式のうちの少なくとも１つによって通知情報を受信する、請求項１７に記載の装置。
【請求項２１】
前記ＵＥは、各ＵＥと独立したＲＲＣ層のシグナル交換を行う方式、放送チャネルを介して通知する方式のうちの少なくとも１つによって前記通知情報を受信する、請求項１７に記載の装置。
【請求項２２】
アクセス・バックホール統合（ＩＡＢ）ネットワークにおけるＩＡＢ  Ｄｏｎｏｒノード側に適用される、ＩＡＢネットワークにおけるＩＡＢノード情報の処理装置であって、
前記ＩＡＢネットワークにおける第１のＩＡＢノードが第３のＩＡＢノードから第４のＩＡＢノードへの接続ハンドオーバー及び／又は接続再構築を行う過程において、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む、ルート更新に関連するＩＡＢノードへルート配置情報を送信するように構成される、第１の送信モジュールを含む、ＩＡＢネットワークにおけるＩＡＢノード情報の処理装置。
【請求項２３】
前記ルート更新に関連するＩＡＢノードが前記ルート配置情報に応答してフィードバックしたルート配置確認情報を受信するように構成される第２の受信モジュールを含む、請求項２２に記載の装置。
【請求項２４】
前記ルート配置情報は、接続ハンドオーバー及び／又は接続再構築後に削除したルート情報、接続ハンドオーバー及び／又は接続再構築後に新規に配置されたルート配置情報、前記新規に配置されたルート配置情報の使用開始情報のうちの少なくとも１つを含む、請求項２２に記載の装置。
【請求項２５】
前記新規に配置されたルート配置情報は、新規に配置されたルートの前記第３のＩＡＢノード及び対応する次のホップの情報を含み、
前記次のホップの情報は、次のホップに隣接するＩＡＢノードの識別情報及び／又は次のホップに隣接するＩＡＢノードに対して送信を行ったＲＬＣエンティティの識別情報である、請求項２４に記載の装置。
【請求項２６】
前記ルート配置情報又は前記ルート配置確認情報を伝送する方式は、ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つを含む、請求項２２に記載の装置。
【請求項２７】
アクセス・バックホール統合（ＩＡＢ）ネットワークにおける第３のＩＡＢノード側に適用される、ＩＡＢネットワークにおけるＩＡＢノード情報の処理装置であって、
前記ＩＡＢネットワークにおける第１のＩＡＢノードが第３のＩＡＢノードから第４のＩＡＢノードへの接続ハンドオーバー及び／又は接続再構築を完了した後、前記ＩＡＢ  Ｄｏｎｏｒノードへ下りデータ伝送状態情報を送信するように構成される第２の送信モジュールを含む、ＩＡＢネットワークにおけるＩＡＢノード情報の処理装置。
【請求項２８】
前記下りデータ伝送状態情報は、各ＵＥベアラの識別子と、前記ベアラの送信された最大のＰＤＣＰ  ＳＮ番号、前記ベアラの伝送に成功した最大のＰＤＣＰ  ＳＮ番号、前記ベアラの再伝送された最大のＰＤＣＰ  ＳＮ番号、及び、前記ベアラの再伝送に成功した最大のＰＤＣＰ  ＳＮ番号のうちの少なくとも１つの情報とを含み、
ＵＥベアラの識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、ＴＥＩＤのうちの少なくとも１つを含む、請求項２７に記載の装置。
【請求項２９】
前記第２の送信モジュールは、
ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、及び、ＩＡＢノードとＩＡＢ  Ｄｏｎｏｒとの間のＡｄａｐｔ層制御メッセージを介する方式のうちの少なくとも１つによって下りデータ伝送状態情報を送信する、請求項２７に記載の装置。
【請求項３０】
Ａｄａｐｔ層で各データパケットにおけるＵＥベアラ識別子とＰＤＣＰ  ＳＮ番号を読み取るように構成される読み取りモジュールをさらに含む、請求項２８に記載の装置。
【請求項３１】
コンピュータープログラムが記憶された記憶媒体であって、
前記コンピュータープログラムは、実行されると、請求項１乃至５のうちのいずれか１項に記載の方法を実現するように構成される、記憶媒体。
【請求項３２】
コンピュータープログラムが記憶された記憶媒体であって、
前記コンピュータープログラムは、実行されると、請求項６乃至１１のうちのいずれか１項に記載の方法を実現するように構成される、記憶媒体。
【請求項３３】
コンピュータープログラムが記憶された記憶媒体であって、
前記コンピュータープログラムは、実行されると、請求項１２乃至１６のうちのいずれか１項に記載の方法を実現するように構成される、記憶媒体。
【発明の詳細な説明】
【技術分野】
【０００１】
本発明は、通信分野に関し、特に、アクセス・バックホール統合（ＩＡＢ）ネットワークにおけるＩＡＢノード情報の処理方法及び装置に関する。
【背景技術】
【０００２】
３ＧＰＰにて研究中の第五世代移動通信技術（５ｔｈ  Ｇｅｎｅｒａｔｉｏｎ、５Ｇと略称）によると、より大きいスループット、より多いユーザの接続、より低い遅延、より高い信頼性、より低い消費電力化（ネットワーク側機器とユーザ端末を含む）を実現することになる。現在、３ＧＰＰの検討において、アクセス・バックホール統合（Ｉｎｔｅｇｒａｔｅｄ  Ａｃｃｅｓｓ  ａｎｄ  Ｂａｃｋｈａｕｌ、ＩＡＢと略称）技術が新たな研究プロジェクトとして立案され、１つ又は複数のＩＡＢノードを親ノードとすることが可能であるＵＥをそのローカルアクセスリソースによって親ノードに接続した上で、マルチホップの無線自己バックホールネットワークを形成してＩＡＢノードのローカルアクセスＵＥにバックホール接続を提供することを目的とする。
【０００３】
５Ｇ  ＵＤＮ（Ｕｌｔｒａ−Ｄｅｎｓｅ  Ｎｅｔｗｏｒｋ、超高密度ネットワーク）の配置において、異なるバックホール技術の応用性を考慮しなければならない。有線バックホールの場合、大量のＴＰが密に配置されている状況で（例えば、密集町）、ゲーブル又は光ファイバーの配置又はレンタル費用、設置場所の選択及び保守コスト等によって、有線バックホールのコストが許容できないほど高くなる可能性がある。有線バックホールが配置された場合であっても、密に配置された場合、各ノードがサービスするユーザ数が少なく、負荷の変動が大きく、又は省エネ／干渉の制御によって、一部のノードが動的にオンオフされ、バックホールのリンクがアイドル状態である場合が多く、また、使用内容の予測及びバッファリング技術によってバックホールリンクリソースのニーズの変動範囲が増加されるため、有線バックホールの使用効率が低く、投資コストが無駄になる。マイクロ波バックホールの場合も、ハードウェアのコストを増やし、別途のスペクトルコストを増やし（もし非認定のスペクトルを使用すると、伝送品質を確保できない）、伝送ノードのアンテナの高さが比較的に低く、マイクロ波が容易に遮断されるため、バックホールリンクの品質が急激に変動する等の問題がある。
【０００４】
無線自己バックホール技術は、上記問題を回避し、投資コスト（Ｃａｐｉｔａｌ  Ｅｘｐｅｎｓｅ、ＣＡＰＥＸと略称）を減少する重要な技術の１つの選択である。自己バックホール技術とは、バックホールリンクとアクセスリンクとが同一の無線伝送技術を用いて、同一の周波数帯域を共用し、時分割又は周波数分割の形態でリソースの多重化を実現する。
【０００５】
そして、無線自己バックホール技術は、有線接続配置のコストが高い場合にも応用できる。ＲＡＮ３＃９９会議のＷＡ  ｆｏｒ  ＩＡＢ  Ａｒｃｈｉｔｅｃｔｕｒｅ  ｆｏｒ  Ｌ２／３  ｒｅｌａｙｉｎｇ（Ｒ３−１８１５０２）において、５種類のｒｅｌａｙ構成が提案された。その中、１ａ）構成は、ＣＵ／ＤＵ分離を考慮しつつ自己バックホール機能を有するＤＵを追加して業務ストリームを中継する。図１は、既存技術における３ＧＰＰにて参照した中継構成１ａを示す図である。
【０００６】
図１に示すように、ＩＡＢノード（ＩＡＢ  Ｎｏｄｅ）を１つのＤＵとして、ローカルＵＥにアクセスサービスを提供し、ＩＡＢノードの各々は、ローカルの１つの移動端末（ＭＴ）と上位の親ノードを介して接続される。該ＭＴは親ノードのアクセスユーザとして親ノードの他のユーザ（ＵＥ）とアクセス帯域幅を共有する。ＤＵとＣＵとの間でＦ１インターフェースを介して通信するため、ＩＡＢノードのＤＵとＩＡＢ  ＤｏｎｏｒのＣＵとの間に１ホップ又はマルチホップのデータベアラを構築してＦ１メッセージを伝送しなければならない。各ホップにおいて、該データベアラはさらに、ＭＴとＤＵとの間の無線ＮＲ  Ｕｕベアラを介してデータ伝送を行う。
【０００７】
よって、マルチホップのＦ１ベアラの場合、中間のＩＡＢノードは受信したＦ１メッセージを転送しなければならない。中間ノードはＩＰ層又はＡｄａｐｔ層によって当該転送プロセスを実現することができる。具体的に、ＩＰ層又はＡｄａｐｔ層は、受信したデータパケットのターゲットアドレス（例えば、ターゲットＩＡＢ  Ｎｏｄｅ  ＩＤ）又は他の情報に応じて、データパケットを次の接続に転送することができる。ＩＡＢ  Ｄｏｎｏｒは、有線接続されるノードを有し、１つのＤＵと１つのＣＵとを含むことができる。
【０００８】
図２は既存技術において３ＧＰＰにて参照した中継構成１ａにおける中間ノードのＡｄａｐｔ層による転送を示す図で、図２に示すように、各ＩＡＢノードにおいて、アダプテーション層（Ａｄａｐｔ層）を追加して、Ｆ１インターフェースによるデータの送信、受信、転送を実現しなければならない。
【０００９】
上述のように、ＩＡＢノードは、ＩＡＢネットワークにおいて自己バックホール接続を用いて遠隔アクセスを提供するノードである。ＩＡＢ  Ｄｏｎｏｒ基地局とは、ＩＡＢネットワークにおいて有線のコアネットワーク接続を有するノードを意味し、他のＩＡＢノードはＤｏｎｏｒ基地局を介してコアネットワークにアクセスする。
【００１０】
しかし、マルチホップＩＡＢネットワークにおいて、無線リンクが変化されてＩＡＢノードが他の上位ノードにハンドオーバーする必要がある場合があるが、ハンドオーバーにおけるパケット欠落をなくすこと、ハンドオーバー後に各業務のバックホールを回復すること、下り通知を実現することは既存技術においていまだに解決していない問題である。
【発明の概要】
【発明が解決しようとする課題】
【００１１】
本開示の実施例において、少なくとも既存技術において無線リンクが変化されてＩＡＢノードが他のノードにハンドオーバーした後に下り通信を行うことができない問題を解決するアクセス・バックホール統合（ＩＡＢ）ネットワークにおけるＩＡＢノード情報の処理方法及び装置を提供する。
【課題を解決するための手段】
【００１２】
本開示の一実施例によると、第２のＩＡＢノードが、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信することを含むアクセス・バックホール統合（ＩＡＢ）ネットワークにおけるＩＡＢノード情報の処理方法を提供する。
【００１３】
本開示の一実施例によると、実行されるとアクセス・バックホール統合（ＩＡＢ）ネットワークにおけるＩＡＢノード情報の処理方法を実現するように構成されるコンピュータープログラムが記憶される記憶媒体を提供する。
【００１４】
本開示の他の一態様によると、前記ＩＡＢネットワークにおける第１のＩＡＢノードが第３のＩＡＢノードから第４のＩＡＢノードへの接続ハンドオーバー及び／又は接続再構築を行う過程において、ＩＡＢ  Ｄｏｎｏｒノードが、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含むルート更新に関連するＩＡＢノードへルート配置情報を送信することを含むアクセス・バックホール統合（ＩＡＢ）ネットワークにおけるＩＡＢノード情報の処理方法を提供する。
【００１５】
本開示の一実施例によると、実行されるとアクセス・バックホール統合（ＩＡＢ）ネットワークにおけるＩＡＢノード情報の処理方法を実現するように構成されるコンピュータープログラムが記憶される記憶媒体を提供する。
【００１６】
本開示の他の一態様によると、前記ＩＡＢネットワークにおける第１のＩＡＢノードが第３のＩＡＢノードから第４のＩＡＢノードへの接続ハンドオーバー及び／又は接続再構築を完了した後、前記第３のＩＡＢノードが、前記ＩＡＢ  Ｄｏｎｏｒノードへ下りデータ伝送状態情報を送信することを含むアクセス・バックホール統合（ＩＡＢ）ネットワークにおけるＩＡＢノード情報の処理方法を提供する。
【００１７】
本開示の一実施例によると、実行されるとアクセス・バックホール統合（ＩＡＢ）ネットワークにおけるＩＡＢノード情報の処理方法を実現するように構成されるコンピュータープログラムが記憶される記憶媒体を提供する。
【００１８】
本開示のさらなる他の一態様によると、ＩＡＢネットワークにおける第２のＩＡＢノード側に適用されるアクセス・バックホール統合（ＩＡＢ）ネットワークにおけるＩＡＢノード情報の処理装置であって、前記ＩＡＢネットワークにおける第１のＩＡＢノードが第３のＩＡＢノードから第４のＩＡＢノードへの接続ハンドオーバー及び／又は接続再構築を完了した後、前記第３のＩＡＢノードが、前記ＩＡＢ  Ｄｏｎｏｒノードへ下りデータ伝送状態情報を送信することを含むアクセス・バックホール統合（ＩＡＢ）ネットワークにおけるＩＡＢノード情報の処理装置を提供する。
【００１９】
本開示のさらなる他の一態様によると、ＩＡＢネットワークにおけるＩＡＢ  Ｄｏｎｏｒノード側に適用されるアクセス・バックホール統合（ＩＡＢ）ネットワークにおけるＩＡＢノード情報の処理装置であって、前記ＩＡＢネットワークにおける第１のＩＡＢノードが第３のＩＡＢノードから第４のＩＡＢノードへの接続ハンドオーバー及び／又は接続再構築を行う過程において、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含むルート更新に関連するＩＡＢノードへルート配置情報を送信するように構成される第１の送信モジュールを含むアクセス・バックホール統合（ＩＡＢ）ネットワークにおけるＩＡＢノード情報の処理装置を提供する。
【００２０】
本開示のさらなる他の一態様によると、ＩＡＢネットワークにおける第３のＩＡＢノード側に適用されるアクセス・バックホール統合（ＩＡＢ）ネットワークにおけるＩＡＢノード情報の処理装置であって、前記ＩＡＢネットワークにおける第１のＩＡＢノードが第３のＩＡＢノードから第４のＩＡＢノードへの接続ハンドオーバー及び／又は接続再構築を完了した後、前記ＩＡＢ  Ｄｏｎｏｒノードへ下りデータ伝送状態情報を送信するように構成される第２の送信モジュールを含むアクセス・バックホール統合（ＩＡＢ）ネットワークにおけるＩＡＢノード情報の処理装置を提供する。
【００２１】
本開示の他の一実施例によると、コンピュータープログラムが記憶されるメモリとプロセッサとを含む電子装置であって、前記プロセッサが、前記コンピュータープログラムを実行することで上述したいずれかの方法実施例でのステップを実現するように構成される電子装置を提供する。
【発明の効果】
【００２２】
本開示によると、ＩＡＢネットワークにおける第２のＩＡＢノードは、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信し、これにより、既存技術において無線リンクが変化されてＩＡＢノードが他のノードにハンドオーバーした後に下り通信を行うことができない問題を解決して、ＩＡＢノードによる完璧なハンドオーバーを確保する効果を実現することができる。
【図面の簡単な説明】
【００２３】
ここで説明する図面は本開示を一層理解させるためのもので、本願の一部を構成し、本開示に示す実施例及びその説明は本開示を解釈するもので、本開示を不適切に限定するものではない。
【図１】既存技術において３ＧＰＰにて参照した中継構成１ａを示す図である。
【図２】既存技術において３ＧＰＰにて参照した中継構成１ａにおける中間ノードのＡｄａｐｔ層による転送を示す図である。
【図３】本開示の実施例に係るＩＡＢノードのハンドオーバーを示す図である。
【図４】本開示の実施例に係るアクセス・バックホール統合（ＩＡＢ）ネットワークにおけるＩＡＢノード情報の処理方法を示すフローチャート１である。
【図５】本開示の実施例に係るアクセス・バックホール統合（ＩＡＢ）ネットワークにおけるＩＡＢノード情報の処理装置の構造を示す図一である。
【図６】本開示の実施例に係るアクセス・バックホール統合（ＩＡＢ）ネットワークにおけるＩＡＢノード情報の処理方法を示すフローチャート２である。
【図７】本開示の実施例に係るアクセス・バックホール統合（ＩＡＢ）ネットワークにおけるＩＡＢノード情報の処理装置の構造を示す図二である。
【図８】本開示の実施例に係るマルチホップバックホールリンクにおける２つのＩＡＢノード間でハンドオーバーを行って通知を完了するシグナルフローチャートである。
【図９】本開示の実施例に係るアクセスＩＡＢノードにてＵＥにバックホールリンクのハンドオーバーを行って通知を完了するシグナルフローチャートである。
【図１０】既存技術においてＮＲ標準によるＣＵ／ＤＵが分離された場合にＤＵがハンドオーバーを行うシグナルフローチャートである。
【図１１】本開示に係るＩＡＢノードがハンドオーバーを行ってＡｄａｐｔ層の制御ＰＤＵによって下りデータ伝送状態情報を伝送するシグナルフローチャートである。
【図１２】本開示の実施例のＩＡＢ  ＤｏｎｏｒがＩＡＢノードに対してルート配置を行うシグナルフローチャートである。
【図１３】本開示の実施例に係るＩＡＢノードがハンドオーバーを行ってＲＲＣシグナルによって下りデータ伝送状態情報を伝送するシグナルフローチャートである。
【図１４】本開示の実施例に係るＩＡＢノードがハンドオーバーを行ってＦ１ＡＰメッセージによって下りデータ伝送状態情報を伝送するシグナルフローチャートである。
【図１５】本開示の実施例に係るＩＡＢノードがハンドオーバーを行って一時的なルートを介して再送信すべきデータパケットを伝達するシグナルフローチャートである。
【発明を実施するための形態】
【００２４】
以下、図面を参照しながら実施例を結合して本開示を詳しく説明する。尚、矛盾しない限り、本願中の実施例及び実施例中の特徴を互いに組み合わせることができる。
【００２５】
尚、本開示の明細書及び特許請求の範囲と図面に記載の「第１」、「第２」等の用語は、特定の順又は前後順を限定するものではなく、類似する対象を区別するためのものである。
【００２６】
まず、本願の応用シーン及び用語を説明する。図１に示すように、ＩＡＢノード（ＩＡＢ  Ｎｏｄｅ）はＤＵ（Ｄｉｓｔｒｉｂｕｔｅｄ  Ｕｎｉｔ、分散型ユニット）として、ローカルＵＥ（Ｕｓｅｒ  Ｅｑｕｉｐｍｅｎｔ、ユーザ機器）にアクセスサービスを提供し、各ＩＡＢノードはローカルのＭＴ（Ｍｏｂｉｌｅ  Ｔｅｒｍｉｎａｌ、移動端末）を介して上位の親ノードに接続される。該ＭＴは親ノードのアクセスユーザとして親ノードの他のユーザ（ＵＥ）とアクセス帯域幅を共有する。ＤＵとＣＵ（Ｃｅｎｔｒａｌｉｚｅｄ  Ｕｎｉｔ、集中ユニット）との間でＦ１インターフェースを介して通信するため、ＩＡＢノードのＤＵとＩＡＢ  ＤｏｎｏｒのＣＵとの間に１ホップ又はマルチホップのデータベアラを構築してＦ１メッセージを伝送しなければならない。各ホップにおいて、該データ
【００２７】
ベアラはさらに、ＭＴとＤＵとの間の無線ＮＲ  Ｕｕベアラを介してデータ伝送を行う。よって、マルチホップのＦ１ベアラの場合、中間のＩＡＢノードは受信したＦ１メッセージを転送しなければならない。中間ノードはＩＰ層又はＡｄａｐｔ層によって当該転送プロセスを実現することができる。具体的に、ＩＰ層又はＡｄａｐｔ層は、受信したデータパケットのターゲットアドレス（例えば、ターゲットＩＡＢ  Ｎｏｄｅ  ＩＤ）又は他の情報に応じて、データパケットを次の接続に転送することができる。ＩＡＢ  Ｄｏｎｏｒは、有線接続されるノードを有し、１つのＤＵと１つのＣＵとを含むことができる。
【００２８】
図２に示すように、該プロトコルスタック構成の実施例において、各ＩＡＢノードに１つのアダプテーション層（Ａｄａｐｔ層）を追加してＦ１インターフェースによるデータの受送信及び転送を実現しなければならない。
【００２９】
図３は本開示の実施例に係るＩＡＢノードのハンドオーバーを示す図である。図３に示すように、ＩＡＢノードＢは、上位ソースＩＡＢノードＣとの接続品質が低下していることを発現すると測定通報を送信する。ここで、上位ソースＩＡＢノードＣは該測定通報をＩＡＢ  Ｄｏｎｏｒに送信する。ＩＡＢ  Ｄｏｎｏｒは、ＩＡＢネットワークのトポロジーに応じて、ＩＡＢノードＢを上位ターゲットＩＡＢノードＤにハンドオーバーすると決定し、対応する情報を上位ソースＩＡＢノードＣに送信し、その後、上位ソースＩＡＢノードＣがハンドオーバープロセスを開始する。
【００３０】
実施例１
本実施例においてアクセス・バックホール統合（ＩＡＢ）ネットワークにおけるＩＡＢノード情報の処理方法を提供し、図４は本開示の実施例に係るアクセス・バックホール統合（ＩＡＢ）ネットワークにおけるＩＡＢノード情報の処理方法を示すフローチャート１である。図４に示すように、該プロセスは以下のステップＳ４０２、Ｓ４０４、Ｓ４０６を含む。
【００３１】
ステップＳ４０２において、ＩＡＢネットワークにおける第１のＩＡＢノードが、第３のＩＡＢノードから第４のＩＡＢノードへ接続ハンドオーバー及び／又は接続再構築する。
【００３２】
ステップＳ４０４において、第２のＩＡＢノードが、第１のＩＡＢノードから送信された通知情報を受信する。
【００３３】
ステップＳ４０６において、第２のＩＡＢノードが、通知情報を第２のＩＡＢに接続されたユーザ端末（ＵＥ）に通知する。
【００３４】
ここで、通知情報は、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む。
【００３５】
上記ステップＳ４０４によって、ＩＡＢネットワークにおける第２のＩＡＢノードが、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信し、これにより、既存技術において無線リンクが変化されてＩＡＢノードが他のノードにハンドオーバーした後に下り通信を行うことができない問題を解決し、ＩＡＢノードによる完璧なハンドオーバーを確保する効果を実現することができる。
【００３６】
尚、本実施例の代替可能な実施形態において、第２のＩＡＢノードは、ＩＡＢノード間のインターフェースを介する方式、Ａｄａｐｔ層の制御ＰＤＵの交換（ｅｘｃｈａｎｇｅ）を行う方式、ＩＡＢ  ＤｏｎｏｒによってＲＲＣ層のシグナル転送を行う方式、ＩＡＢ  ＤｏｎｏｒによってＦ１ＡＰ層のシグナル転送を行う方式のうちの少なくとも１つによって該通知情報を受信する。
【００３７】
ここで、該ＵＥは、各ＵＥと独立したＲＲＣ層のシグナル交換を行う方式、放送チャネルを介して通知する方式のうちの少なくとも１つによって該通知情報を受信する。
【００３８】
本実施例の他の代替可能な実施形態において、接続ハンドオーバー及び／又は接続再構築操作をトリガーする前、本実施例の方法は、さらに以下のステップＳ４０２−１、Ｓ４０２−２を含むことができる。
【００３９】
ステップＳ４０２−１において、ＩＡＢ  Ｄｏｎｏｒノードが、第４のＩＡＢノードへハンドオーバーを指示するためのＵＥコンテキスト修正要求のメッセージを送信する。
【００４０】
ステップＳ４０２−２において、第２のＩＡＢノードが、ＵＥへ接続ハンドオーバー及び／又は接続再構築を指示するための通知を送信する。
【００４１】
本実施例においてアクセス・バックホール統合（ＩＡＢ）ネットワークにおけるＩＡＢノード情報の処理装置をさらに提供し、該装置は上記実施例及び好適な実施形態を実現するためのものであり、すでに説明した部分の説明は省略する。以下に用いられる用語「モジュール」は所定の機能を実現できるソフトウェア及び／又はハードウェアの組み合わせである。以下の実施例で説明する装置をソフトウェアで実現することが好ましいが、ハードウェア又はソフトウェアとハードウェアとの組み合わせによって実現することも可能である。
【００４２】
図５は本開示の実施例に係るアクセス・バックホール統合（ＩＡＢ）ネットワークにおけるＩＡＢノード情報の処理装置の構造を示す図一で、該装置はＩＡＢネットワークにおける第２のＩＡＢノード側に適用される。図５に示すように、該装置は、ＩＡＢネットワークにおける第１のＩＡＢノードが第３のＩＡＢノードから第４のＩＡＢノードへ接続ハンドオーバー及び／又は接続再構築を完了した後、第１のＩＡＢノードから通知された、接続ハンドオーバー及び／又は接続再構築の完了を指示するための通知情報を受信する第１の受信モジュール５２と、第１の受信モジュール５２に結合接続されて、通知情報を第２のＩＡＢに接続されたユーザ端末（ＵＥ）に通知する通知モジュール５４と、を含む。
【００４３】
ここで、通知情報は、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む。
【００４４】
選択的に、本実施例において、第２のＩＡＢノードは、ＩＡＢノード間のインターフェースを介する方式、Ａｄａｐｔ層の制御ＰＤＵの交換を行う方式、ＩＡＢ  ＤｏｎｏｒによってＲＲＣ層のシグナル転送を行う方式、ＩＡＢ  ＤｏｎｏｒによってＦ１ＡＰ層のシグナル転送を行う方式のうちの少なくとも１つによって該通知情報を受信する。
【００４５】
また、ＵＥは、各ＵＥと独立したＲＲＣ層のシグナル交換を行う方式、放送チャネルを介して通知する方式のうちの少なくとも１つによって該通知情報を受信する。
【００４６】
実施例２
本実施例においてアクセス・バックホール統合（ＩＡＢ）ネットワークにおけるＩＡＢノード情報の処理方法を提供し、図６は本開示の実施例に係るアクセス・バックホール統合（ＩＡＢ）ネットワークにおけるＩＡＢノード情報の処理方法を示すフローチャート２である。図６に示すように、該プロセスは以下のステップＳ６０２、ステップＳ６０４を含む。
【００４７】
ステップＳ６０２において、ＩＡＢネットワークにおける第１のＩＡＢノードが第３のＩＡＢノードとの接続から第４のＩＡＢノードとの接続に接続ハンドオーバー及び／又は接続再構築を完了した後、ＩＡＢ  Ｄｏｎｏｒノードが、ルート更新に関連するＩＡＢノードへルート配置情報を送信する。
【００４８】
ステップＳ６０４において、ＩＡＢ  Ｄｏｎｏｒノードが、関連するＩＡＢノードがルート配置情報に応答してフィードバックしたルート配置確認情報を受信する。
【００４９】
ここで、該ルート更新に関連するＩＡＢノードは、第３のＩＡＢノード、第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む。
【００５０】
上記ステップＳ６０２とＳ６０４によって、ネットワークにおける第１のＩＡＢノードが第３のＩＡＢノードから第４のＩＡＢノードへの接続ハンドオーバー及び／又は接続再構築を完了した後、ＩＡＢノードのルート配置を実現することになる。
【００５１】
本実施例の代替可能な実施形態において、本実施例の方法はさらに以下のステップＳ６０６、Ｓ６１０、Ｓ６１２を含むことができる。
【００５２】
ステップＳ６０６において、ＩＡＢ  Ｄｏｎｏｒノードが、一時的なルートを配置する。ここで、一時的なルートは第３のＩＡＢノードから第４のＩＡＢノードへのものであり、一時的なルート配置は一時的なルート内の全てのＩＡＢノードのルート配置を含む。
【００５３】
ステップＳ６１０において、第３のＩＡＢノードは、受信できていない、即ち送信に成功していない下りデータパケットを一時的なルートを介して、第４のＩＡＢノードに送信する。
【００５４】
ステップＳ６１２において、第３のＩＡＢノードは、ハンドオーバーを完了した後、下りデータパケットを再送信する。
【００５５】
ここで、本実施例の方式においてルート配置情報は、接続ハンドオーバー及び／又は接続再構築後に削除したルート情報、接続ハンドオーバー及び／又は接続再構築後に新規に配置されたルート配置情報、新規に配置されたルート配置情報の使用開始情報のうちの少なくとも１つを含む。ここで、新規に配置されたルート配置情報は新規に配置されたルートの第３のＩＡＢノード及び対応する次のホップの情報を含む。次のホップの情報は次のホップに隣接するＩＡＢノードの識別情報及び／又は次のホップに隣接するＩＡＢノードに対して送信を行ったＲＬＣエンティティの識別情報を含む。
【００５６】
尚、本実施例において、ルート配置情報又はルート配置確認情報を、ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つによって伝送する。
【００５７】
本実施例においてアクセス・バックホール統合（ＩＡＢ）ネットワークにおけるＩＡＢノード情報の処理装置をさらに提供し、該装置は上記実施例及び好適な実施形態を実現するためのものであり、すでに説明した部分の説明は省略する。以下に用いられる用語「モジュール」は所定の機能を実現できるソフトウェア及び／又はハードウェアの組み合わせである。以下の実施例で説明する装置をソフトウェアで実現することが好ましいが、ハードウェア又はソフトウェアとハードウェアとの組み合わせによって実現することも可能である。
【００５８】
図７は本開示の実施例に係るアクセス・バックホール統合（ＩＡＢ）ネットワークにおけるＩＡＢノード情報の処理装置の構造を示す図二で、該装置はＩＡＢネットワークにおけるＩＡＢ  Ｄｏｎｏｒノード側に応用され、図７に示すように、該装置は、ＩＡＢネットワークにおける第１のＩＡＢノードが第３のＩＡＢノードから第４のＩＡＢノードへの接続ハンドオーバー及び／又は接続再構築を行う過程において、ルート更新に関連するＩＡＢノードへルート配置情報を送信するための第１の送信モジュール７２と、第１の送信モジュール７２に接続されて、関連するＩＡＢノードがルート配置情報に応答してフィードバックしたルート配置確認情報を受信するための第２の受信モジュール７４と、を含む。
【００５９】
ここで、関連するＩＡＢノードは、第３のＩＡＢノード、第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む。
【００６０】
実施例３
本実施例においてアクセス・バックホール統合（ＩＡＢ）ネットワークにおけるＩＡＢノード情報の処理方法を提供し、該プロセスは以下のステップＳ８０２、Ｓ８０４を含む。
【００６１】
ステップＳ８０２において、前記ＩＡＢネットワークにおける第１のＩＡＢノードが第３のＩＡＢノードから第４のＩＡＢノードへの接続ハンドオーバー及び／又は接続再構築を完了した後、第３のＩＡＢノードが、ＩＡＢ  Ｄｏｎｏｒノードへ下りデータ伝送状態情報を送信する。
【００６２】
ステップＳ８０４において、第３のＩＡＢノードが、Ａｄａｐｔ層において各データパケットにおけるＵＥベアラ識別子とＰＤＣＰ  ＳＮ番号を読み取る。
【００６３】
ここで、本実施例において、該下りデータ伝送状態情報は、各ＵＥベアラの識別子と、ベアラの送信された最大のＰＤＣＰ  ＳＮ番号、伝送に成功した最大のＰＤＣＰ  ＳＮ番号、再伝送された最大のＰＤＣＰ  ＳＮ番号、再伝送に成功した最大のＰＤＣＰ  ＳＮ番号のうちの少なくとも１つの情報とを含むことができる。
【００６４】
ここで、ＵＥベアラの識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、ＴＥＩＤのうちの少なくとも１つを含む。
【００６５】
本実施例の代替可能な実施形態において、該下りデータ伝送状態情報を、ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つによって送信する。
【００６６】
本実施例においてアクセス・バックホール統合（ＩＡＢ）ネットワークにおけるＩＡＢノード情報の処理装置をさらに提供し、該装置は上記実施例及び好適な実施形態を実現するためのものであり、すでに説明した部分の説明は省略する。以下に用いられる用語「モジュール」は所定の機能を実現できるソフトウェア及び／又はハードウェアの組み合わせである。以下の実施例で説明する装置をソフトウェアで実現することが好ましいが、ハードウェア又はソフトウェアとハードウェアとの組み合わせによって実現することも可能である。
【００６７】
本実施例においてアクセス・バックホール統合（ＩＡＢ）ネットワークにおけるＩＡＢノード情報の処理装置を提供し、該装置は、ＩＡＢネットワークにおける第３のＩＡＢノード側に適用され、
【００６８】
ＩＡＢネットワークにおける第１のＩＡＢノードが第３のＩＡＢノードから第４のＩＡＢノードへの接続ハンドオーバー及び／又は接続再構築を完了した後、ＩＡＢ  Ｄｏｎｏｒノードへ下りデータ伝送状態情報を送信するための第２の送信モジュールを含む。
【００６９】
ここで、該下りデータ伝送状態情報は、各ＵＥベアラの識別子と、ベアラの送信された最大のＰＤＣＰ  ＳＮ番号、伝送に成功した最大のＰＤＣＰ  ＳＮ番号、再伝送された最大のＰＤＣＰ  ＳＮ番号、再伝送に成功した最大のＰＤＣＰ  ＳＮ番号のうちの少なくとも１つの情報とを含む。また、ＵＥベアラの識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、ＴＥＩＤのうちの少なくとも１つを含む。
【００７０】
尚、実施例の代替可能な実施形態において、第２の送信モジュールは、ＩＡＢノードとＩＡＢ  Ｄｏｎｏｒとの間のＲＲＣシグナルメッセージを介する方式、ＩＡＢノード和ＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つによって下りデータ伝送状態情報を送信する。
【００７１】
選択的に、本実施例の装置は、Ａｄａｐｔ層において各データパケットにおけるＵＥベアラ識別子とＰＤＣＰ  ＳＮ番号を読み取るための読み取りモジュールをさらに含む。ここで、ＵＥベアラ識別子は、ＵＥ識別子及び論理リンク識別、ＵＥ識別子及びベアラ識別子、ＩＡＢ  Ｄｏｎｏｒが各ＰＤＣＰベアラに配置したＩＡＢネットワーク内での一意のグローバルベアラ識別子、ＴＥＩＤのうちの少なくとも１つを含む。
【００７２】
以上の実施形態の説明によって、上記実施例１〜３の方法をソフトウェアに必要な汎用ハードウェアプラットフォームを追加した方式で実現することができ、ハードウェアによって実現することもできるが、大部分の場合に前の方法で実施することが好ましいことを当業者は理解できる。これに基づいて、本開示の技術態様の本質又は既存技術に貢献のある部分をソフトウェア製品の形態で実現することができ、そのコンピューターソフトウェア製品は、端末機器（携帯電話、コンピューター、サーバ又はネットワーク機器等であることができる）に本開示の各実施例に記載の方法を実現させる命令を複数含む記憶媒体（例えば、ＲＯＭ／ＲＡＭ、磁気ディスク、ＣＤ）に記憶されることができる。
【００７３】
尚、上記各モジュールをソフトウェア又はハードウェアで実現することができ、ハードウェアで実現する場合、上記モジュールを全部同一のプロセッサに位置させることができ、又は、上記各モジュールを任意の組み合わせの形態で異なるプロセッサに位置させることもできるが、これらに限定されることはない。
【００７４】
以下、本開示の代替可能な実施形態とともに上記実施例１〜３を説明する。
【００７５】
代替可能な実施形態
図８は本開示の実施例に係るマルチホップバックホールリンクにおける２つのＩＡＢノード間でハンドオーバーを行って通知を完了するシグナルフローチャートで、図８に示すように、ＩＡＢノードＢとターゲットＩＡＢノードＣとがハンドオーバー操作を完了した後、上りのＰＤＣＰ  Ｓｔａｔｕｓ  Ｒｅｐｏｒｔをできるだけ早く開始するために、ＩＡＢノードＢはハンドオーバー完了情報を、それに接続された全ての下位のＩＡＢノード、例えば、図３のＩＡＢノードＡに通知する。
【００７６】
本実施例の代替可能な実施形態において、ＩＡＢノードＡは、上記ハンドオーバー完了情報の通知を受信すると、ハンドオーバー完了通知応答メッセージをフィードバックする。
【００７７】
ここで、該ハンドオーバー完了情報の通知メッセージ及び／又はハンドオーバー完了通知応答メッセージを、
（１）ＩＡＢノード間のインターフェースを介する方式、
（２）Ａｄａｐｔ層の制御ＰＤＵの交換を行う方式、
（３）ＩＡＢ  ＤｏｎｏｒによってＲＲＣ層のシグナル転送を行う方式、
（４）ＩＡＢ  ＤｏｎｏｒによってＦ１ＡＰ層のシグナル転送を行う方式のうちの少なくとも１つによって実現することができる。
【００７８】
図９は本開示の実施例に係るアクセスＩＡＢノードにてＵＥにバックホールリンクのハンドオーバーを行って通知を完了するシグナルフローチャートで、図９に示すように、下位のＩＡＢノードＡは、上位のＩＡＢノードＢのハンドオーバー完了情報を受信すると、サービング中の全てのＵＥに上記バックホールリンクにおけるハンドオーバー完了情報を通知する。
【００７９】
ここで、該通知を、
（１）各ＵＥと独立したＲＲＣ層のシグナル交換を行う方式、
（２）放送チャネルを介して通知する方式のうちの少なくとも１つによって実現することができる。
【００８０】
選択的に、ＵＥは、上記通知を受信した直後、ＰＤＣＰ  Ｓｔａｔｕｓ  Ｒｅｐｏｒｔを送信する。
【００８１】
図１０は既存技術においてＮＲ（Ｎｅｗ  Ｒａｄｉｏ）標準によるＣＵ／ＤＵが分離された場合にＤＵがハンドオーバーを行うシグナルフローチャートで、図１０に示すように、ＵＥが測定通報を通報した後、ソースＤＵが、Ｆ１ＡＰインターフェースを介してＣＵに通報する。ＣＵはハンドオーバーを行うと特定した後、ターゲットＤＵとＦ１ＡＰインタラクションを行って、ハンドオーバーするＵＥのためにコンテキストを確立し、その後、ＵＥ  Ｃｏｎｔｅｘｔ  Ｍｏｄｉｆｉｃａｔｉｏｎ  ＲｅｑｕｅｓｔをソースＤＵに送信して、具体的なハンドオーバープロセスを開始する。ソースＤＵは、ハンドオーバー通知ＲＲＣＣｏｎｎｅｃｔｉｏｎＲｅｃｏｎｆｉｇｕｒａｔｉｏｎをＵＥに送信した後、ユーザ側Ｆ１−Ｕにて下りデータ伝送状態をＣＵへ報知し、ＣＵに下り送信に成功した最大ＰＤＣＰ  ＳＮを通知する。ＣＵは、上記下りデータ伝送状態に応じて、ソースＤＵに送信済であるがターゲットノードにて再送信すべきＰＤＣＰ  ＰＤＵを、Ｆ１−Ｕを介してターゲットＤＵに伝送する。
【００８２】
ＵＥとターゲットＤＵとが接続を確立した後、ターゲットＤＵはハンドオーバー完了メッセージＲＲＣＣｏｎｎｅｃｔｉｏｎＲｅｃｏｎｆｉｇｕｒａｔｉｏｎＣｏｍｐｌｅｔｅをＩＡＢ  Ｄｏｎｏｒに転送する。同時に、ＵＥとのユーザ側のデータの受送信を開始する。その後、ＩＡＢ  ＤｏｎｏｒとソースＤＵとはインタラクトしてソースＤＵでのＵＥコンテキストをリリースする。
【００８３】
図１１は本開示に係るＩＡＢノードがハンドオーバーを行ってＡｄａｐｔ層の制御ＰＤＵによって下りデータ伝送状態情報を伝送するシグナルフローチャートで、図１１に示すステップ４ａのように、ＩＡＢ  Ｄｏｎｏｒと上位ターゲットＩＡＢノードＤがＦ１ＡＰシグナルのインタラクションを行ってＩＡＢノードＢのためにコンテキストを構築した後、ＩＡＢ  Ｄｏｎｏｒはさらに、上位ターゲットＩＡＢノードＤが受信した、ＩＡＢノードＢとＩＡＢノードＡへのデータパケットの全てをＩＡＢノードＢへ送信できるように、上位ターゲットＩＡＢノードＤにおいて対応するルート配置を行わなければならない。選択的に、ＩＡＢ  Ｄｏｎｏｒはさらに、上位ＩＡＢノードが受信した、ＩＡＢノードＢとＩＡＢノードＡへのデータパケットの全てをＩＡＢノードＤへ送信できるように、上記上位ターゲットＩＡＢノードＤの上位ＩＡＢノードにおいて対応するルート配置を行うことができる。
【００８４】
また、図１１に示すステップ６ａのように、ハンドオーバー中に下りデータの欠落を回避するために、ソース上位ＩＡＢノードＣはＩＡＢノードＢのハンドオーバーを開始した後、即ち、ＲＲＣＣｏｎｎｅｃｔｉｏｎＲｅｃｏｎｆｉｇｕｒａｔｉｏｎを送信した後、Ａｄａｐｔ層の制御ＰＤＵを介して、ＩＡＢ  Ｄｏｎｏｒへ下りデータ伝送状態情報を通知する。
【００８５】
ここで、該下りデータ伝送状態情報は、各ＵＥベアラの識別子と、該ベアラの以下の情報のうちの少なくとも１つとを含むことができる。
【００８６】
即ち、
送信された最大のＰＤＣＰ  ＳＮ番号（Ｈｉｇｈｅｓｔ  Ｔｒａｎｓｍｉｔｔｅｄ  ＮＲ  ＰＤＣＰ  ＳＮ）、
伝送に成功した最大のＰＤＣＰ  ＳＮ番号（Ｈｉｇｈｅｓｔ  Ｄｅｌｉｖｅｒｅｄ  ＮＲ  ＰＤＣＰ  ＳＮ）、
再伝送された最大のＰＤＣＰ  ＳＮ番号（Ｈｉｇｈｅｓｔ  ｒｅｔｒａｎｓｍｉｔｔｅｄ  ＮＲ  ＰＤＣＰ  Ｓｅｑｕｅｎｃｅ  Ｎｕｍｂｅｒ）、
再伝送に成功した最大のＰＤＣＰ  ＳＮ番号（Ｈｉｇｈｅｓｔ  ｓｕｃｃｅｓｓｆｕｌｌｙ  ｄｅｌｉｖｅｒｅｄ  ｒｅｔｒａｎｓｍｉｔｔｅｄ  ＮＲ  ＰＤＣＰ  Ｓｅｑｕｅｎｃｅ  Ｎｕｍｂｅｒ）。
【００８７】
また、本実施例において、上位ソースＩＡＢノードは、Ａｄａｐｔ層間で各バックホールデータパケットにおけるＵＥベアラ識別子及びそのＰＤＣＰ  ＳＮ番号を読み取る。ここで、該ＩＡＢノードのバックホールのＵＥベアラ識別子は、以下のうちの少なくとも１つを含むことができる。
【００８８】
即ち、
（１）ＵＥ識別子及び論理リンク識別子、
（２）ＵＥ識別子及びベアラ識別子、
（３）ＩＡＢ  Ｄｏｎｏｒが各ＵＥベアラに配置したベアラ識別子であって、ＩＡＢネットワーク内での一意のグローバルベアラ識別子、
（４）Ｆ１インターフェースにおけるＴＥＩＤ。
【００８９】
図１２は本開示の実施例のＩＡＢ  ＤｏｎｏｒがＩＡＢノードに対してルート配置を行うシグナルフローチャートで、図１２に示すように、ＩＡＢ  ＤｏｎｏｒはＩＡＢノードへ１つのルート配置要求メッセージを送信し、該メッセージには配置すべきルート情報が含まれる。その後、ＩＡＢノードはＩＡＢ  Ｄｏｎｏｒへ１つのルート配置応答メッセージを送信し、該メッセージはルート配置要求メッセージに対して確認を行うものである。
【００９０】
ここで、該ルート配置情報は、旧ルートの削除情報、新ルートの配置情報、新ルートの使用開始情報のうちの少なくとも１種を含む。ここで、新ルートの配置情報は新ルートのターゲットノードと対応する次のホップの情報とを含む。ここで、該次のホップの情報は次のホップに隣接するＩＡＢノードの識別情報及び／又は次のホップに隣接するＩＡＢノードに対して送信を行ったＲＬＣエンティティの識別情報であることができる。
【００９１】
また、該ルート配置要求メッセージ及び／又はルート配置応答メッセージを、
（１）ＩＡＢノードとＩＡＢ  Ｄｏｎｏｒとの間のＲＲＣシグナルメッセージを介する方式、
（２）ＩＡＢノードとＩＡＢ  Ｄｏｎｏｒとの間のＦ１ＡＰメッセージを介する方式、
（３）ＩＡＢノードとＩＡＢ  Ｄｏｎｏｒとの間のＡｄａｐｔ層制御メッセージを介する方式のうちの少なくとも１つの方式で伝送することができる。
【００９２】
図１３は本開示の実施例に係るＩＡＢノードがハンドオーバーを行ってＲＲＣシグナルによって下りデータ伝送状態情報を伝送するシグナルフローチャートで、図１３に示すステップ４ａのように、ＩＡＢ  Ｄｏｎｏｒと上位ターゲットＩＡＢノードＤがＦ１ＡＰシグナルのインタラクトを行ってＩＡＢノードＢのためにコンテキストを構築した後、ＩＡＢ  Ｄｏｎｏｒはさらに、上位ターゲットＩＡＢノードＤが受信した、ＩＡＢノードＢとＩＡＢノードＡへのデータパケットの全てをＩＡＢノードＢへ送信できるように、上位ターゲットＩＡＢノードＤにおいて対応するルート配置を行わなければならない。ここで、ＩＡＢ  Ｄｏｎｏｒはさらに、上位ＩＡＢノードが受信した、ＩＡＢノードＢとＩＡＢノードＡへのデータパケットの全てをＩＡＢノードＤへ送信できるように、上記上位ターゲットＩＡＢノードＤの上位ＩＡＢノードにおいて対応するルート配置を行うことができる。
【００９３】
図１３に示すステップ６ａのように、ハンドオーバー中に下りデータの欠落を回避するために、ソース上位ＩＡＢノードＣはＩＡＢノードＢのハンドオーバーを開始した後、即ちＲＲＣＣｏｎｎｅｃｔｉｏｎＲｅｃｏｎｆｉｇｕｒａｔｉｏｎを送信した後、ＲＲＣシグナルメッセージを介して、ＩＡＢ  Ｄｏｎｏｒへ下りデータ伝送状態情報を通報する。ここで、該下りデータ伝送状態情報は各ＵＥベアラの識別子及び該ベアラの以下の情報のうちの少なくとも１つを含むことができる。
【００９４】
即ち、
（１）送信された最大のＰＤＣＰ  ＳＮ番号（Ｈｉｇｈｅｓｔ  Ｔｒａｎｓｍｉｔｔｅｄ  ＮＲ  ＰＤＣＰ  ＳＮ）、
（２）伝送に成功した最大のＰＤＣＰ  ＳＮ番号（Ｈｉｇｈｅｓｔ  Ｄｅｌｉｖｅｒｅｄ  ＮＲ  ＰＤＣＰ  ＳＮ）、
（３）再伝送された最大のＰＤＣＰ  ＳＮ番号（Ｈｉｇｈｅｓｔ  ｒｅｔｒａｎｓｍｉｔｔｅｄ  ＮＲ  ＰＤＣＰ  Ｓｅｑｕｅｎｃｅ  Ｎｕｍｂｅｒ）、
（４）再伝送に成功した最大のＰＤＣＰ  ＳＮ番号（Ｈｉｇｈｅｓｔ  ｓｕｃｃｅｓｓｆｕｌｌｙ  ｄｅｌｉｖｅｒｅｄ  ｒｅｔｒａｎｓｍｉｔｔｅｄ  ＮＲ  ＰＤＣＰ  Ｓｅｑｕｅｎｃｅ  Ｎｕｍｂｅｒ）。
【００９５】
又はンドオーバー用の上位ソースＩＡＢノードは、Ａｄａｐｔ層間で各バックホールデータパケットにおけるＵＥベアラ識別子とＰＤＣＰ  ＳＮ番号を読み取ることができる。ここで、該ＩＡＢノードのバックホールのＵＥベアラ識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、Ｆ１インターフェースにおけるＴＥＩＤ（Ｔｕｎｎｅｌ  Ｅｎｄｐｏｉｎｔ  Ｉｄｅｎｔｉｆｉｅｒ、トンネルエンドポイント識別子）のうちの少なくとも１つを含むことができる。
【００９６】
図１４は本開示の実施例に係るＩＡＢノードがハンドオーバーを行ってＦ１ＡＰメッセージによって下りデータ伝送状態情報を伝送するシグナルフローチャートで、図１４に示すステップ４ａのように、ＩＡＢ  Ｄｏｎｏｒと上位ターゲットＩＡＢノードＤがＦ１ＡＰシグナルのインタラクションを行ってＩＡＢノードＢのためにコンテキストを構築した後、ＩＡＢ  Ｄｏｎｏｒはさらに、上位ターゲットＩＡＢノードＤが受信したＩＡＢノードＢとＩＡＢノードＡへのデータパケットの全てをＩＡＢノードＢに送信できるように、上位ターゲットＩＡＢノードＤにおいて対応するルート配置を行わなければならない。選択的に、ＩＡＢ  Ｄｏｎｏｒはさらに、上位ＩＡＢノードが受信したＩＡＢノードＢとＩＡＢノードＡへのデータパケットの全てをＩＡＢノードＤに送信できるように、上記上位ターゲットＩＡＢノードＤの上位ＩＡＢノードにおいて対応するルート配置を行うことができる。
【００９７】
図１４に示すステップ６ａのように、ハンドオーバー中に下りデータの欠落を回避するために、ソース上位ＩＡＢノードＣはＩＡＢノードＢのハンドオーバーを開始した後、即ちＲＲＣＣｏｎｎｅｃｔｉｏｎＲｅｃｏｎｆｉｇｕｒａｔｉｏｎを送信した後、Ｆ１ＡＰメッセージを介して、ＩＡＢ  Ｄｏｎｏｒへ下りデータ伝送状態情報を通報する。
【００９８】
ここで、該下りデータ伝送状態情報は、各ＵＥベアラの識別子と、該ベアラの以下の情報のうちの少なくとも１つとを含むことができる。
【００９９】
即ち、
送信された最大のＰＤＣＰ  ＳＮ番号（Ｈｉｇｈｅｓｔ  Ｔｒａｎｓｍｉｔｔｅｄ  ＮＲ  ＰＤＣＰ  ＳＮ）、
伝送に成功した最大のＰＤＣＰ  ＳＮ番号（Ｈｉｇｈｅｓｔ  Ｄｅｌｉｖｅｒｅｄ  ＮＲ  ＰＤＣＰ  ＳＮ）、
再伝送された最大のＰＤＣＰ  ＳＮ番号（Ｈｉｇｈｅｓｔ  ｒｅｔｒａｎｓｍｉｔｔｅｄ  ＮＲ  ＰＤＣＰ  Ｓｅｑｕｅｎｃｅ  Ｎｕｍｂｅｒ）、
再伝送に成功した最大のＰＤＣＰ  ＳＮ番号（Ｈｉｇｈｅｓｔ  ｓｕｃｃｅｓｓｆｕｌｌｙ  ｄｅｌｉｖｅｒｅｄ  ｒｅｔｒａｎｓｍｉｔｔｅｄ  ＮＲ  ＰＤＣＰ  Ｓｅｑｕｅｎｃｅ  Ｎｕｍｂｅｒ）。
【０１００】
又はンドオーバー用の上位ソースＩＡＢノードは、Ａｄａｐｔ層間で各バックホールデータパケットにおけるＵＥベアラ識別子とＰＤＣＰ  ＳＮ番号を読み取ることができる。ここで、該ＩＡＢノードのバックホールのＵＥベアラ識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、Ｆ１インターフェースにおけるＴＥＩＤのうちの少なくとも１つを含むことができる。
【０１０１】
図１５は本開示の実施例に係るＩＡＢノードがハンドオーバーを行って一時的なルートを介して再送信すべきデータパケットを伝達するシグナルフローチャートで、図１５に示すステップ４ａのように、ＩＡＢ  Ｄｏｎｏｒと上位ターゲットＩＡＢノードＤがＦ１ＡＰシグナルのインタラクションを行ってＩＡＢノードＢのためにコンテキストを構築した後、ＩＡＢ  Ｄｏｎｏｒはさらに、上位ターゲットＩＡＢノードＤが受信した、ＩＡＢノードＢとＩＡＢノードＡへのデータパケットの全てをＩＡＢノードＢに送信できるように、上位ターゲットＩＡＢノードＤにおいて対応するルート配置を行わなければならない。ここで、ＩＡＢ  Ｄｏｎｏｒはさらに、上位ＩＡＢノードが受信した、ＩＡＢノードＢとＩＡＢノードＡへのデータパケットの全てをＩＡＢノードＤに送信できるように、上記上位ターゲットＩＡＢノードＤの上位ＩＡＢノードにおいて対応するルート配置を行うことができる。
【０１０２】
図１５に示すステップ６ａのように、ハンドオーバー中に下りデータの欠落を回避するために、ＩＡＢ  Ｄｏｎｏｒは、あるＩＡＢノードのハンドオーバーを行うと決定し、ＵＥ  Ｃｏｎｔｅｘｔ  Ｍｏｄｉｆｉｃａｔｉｏｎ  Ｒｅｑｕｅｓｔメッセージを送信した後に、ＩＡＢネットワークにおいて１つの一時的なデータ転送ルートを配置することができ、該ルートはハンドオーバー用の上位ソースＩＡＢノードＣからハンドオーバー用の上位ターゲットＩＡＢノードＤまでのものである。ここで、該一時的なルートはさらに、ＩＡＢ  Ｄｏｎｏｒを経過することができ、尚、該一時的なルート配置は該一時的なルート内の全てのＩＡＢノードに対するルート配置を含む。ここで、ハンドオーバー用の上位ソースＩＡＢノードＣは、受信した、送信に成功していなかった下りデータパケットを上記一時的なルートを介して、ハンドオーバー用の上位ターゲットＩＡＢノードＤに伝達し、ハンドオーバー用の上位ターゲットＩＡＢノードによりハンドオーバーを完了した後に再送信する。
【０１０３】
実施例４
本開示の実施例においてさらに記憶媒体を提供し、該記憶媒体にはコンピュータープログラムが記憶され、該コンピュータープログラムは、実行されると上記いずれかの方法実施例１のステップを実現するように構成される。
【０１０４】
選択的に、本実施例において、上記記憶媒体は、
ネットワークにおける第１のＩＡＢノードが、第２のＩＡＢノードとの接続から第３のＩＡＢノードとの接続に接続ハンドオーバー及び／又は接続再構築を完了した後、第１のＩＡＢノードと１ホップ又はマルチホップの無線リンクを介して接続された第４のＩＡＢノードが、第１のＩＡＢノードから通知された、接続ハンドオーバー及び／又は接続再構築の完了を通知するための通知情報を受信するＳ１と、
第４のＩＡＢノードにより、通知情報を第４のＩＡＢに接続されたユーザ端末（ＵＥ）に通知するＳ２と、のステップを実行するコンピュータープログラムを記憶するように構成されることができる。
【０１０５】
本開示の実施例においてさらに記憶媒体を提供し、該記憶媒体にはコンピュータープログラムが記憶され、該コンピュータープログラムは、実行されると上記いずれかの方法実施例２におけるステップを実現するように構成される。
【０１０６】
選択的に、本実施例において、上記記憶媒体は、
ネットワークにおける第１のＩＡＢノードが、第２のＩＡＢノードとの接続から第３のＩＡＢノードとの接続に接続ハンドオーバー及び／又は接続再構築を完了した後、ＩＡＢ  Ｄｏｎｏｒノードから、接続ハンドオーバー及び／又は接続再構築に関連するＩＡＢノードへルート配置情報を送信するＳ１と、
ＩＡＢ  Ｄｏｎｏｒノードにより、関連するＩＡＢノードがルート配置情報に応答してフィードバックしたルート配置確認情報を受信するＳ２と、のステップを実行するコンピュータープログラムを記憶するように構成されることができる。
【０１０７】
本開示の実施例においてさらに記憶媒体を提供し、該記憶媒体にはコンピュータープログラムが記憶され、該コンピュータープログラムは、実行されると上記いずれかの方法実施例３のステップを実現するように構成される。
【０１０８】
選択的に、本実施例において、上記記憶媒体は、
ネットワークにおける第１のＩＡＢノードが、第２のＩＡＢノードとの接続から第３のＩＡＢノードとの接続に接続ハンドオーバー及び／又は接続再構築を完了した後、第２のＩＡＢノードから、ＩＡＢ  Ｄｏｎｏｒノードへ下りデータ伝送状態情報を送信するＳ１のステップを実行するコンピュータープログラムを記憶するように構成されることができる。
【０１０９】
選択的に、本実施例において、上記記憶媒体は、ＵＳＢ、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、ポータブルＨＤＤ、磁気ディスク又は光ディスク等のコンピュータープログラムを記憶可能な様々な媒体を含むことができるが、これらに限定されることはない。
【０１１０】
本開示の実施例においてさらに電子装置を提供し、メモリと、プロセッサとを含み、該メモリにはコンピュータープログラムが記憶され、該プロセッサはコンピュータープログラムを実行することで上述したいずれかの方法実施例１のステップを実現するように構成される。
【０１１１】
選択的に、上記電子装置は伝送機器及び入出力機器をさらに含むことができる。ここで、該伝送機器は上記プロセッサに接続され、該入出力機器は上記プロセッサに接続される。
【０１１２】
選択的に、本実施例において、上記プロセッサはコンピュータープログラムによって、
前記ＩＡＢネットワークにおける第１のＩＡＢノードが第３のＩＡＢノードから第４のＩＡＢノードに接続ハンドオーバー及び／又は接続再構築するＳ１と、
第２のＩＡＢノードが、第１のＩＡＢノードから送信された通知情報を受信するＳ２と、
前記第２のＩＡＢノードが、前記通知情報を前記第２のＩＡＢに接続されたユーザ端末（ＵＥ）に通知するＳ３と、のステップを実現するように構成される。
【０１１３】
本開示の実施例においてさらに電子装置を提供し、メモリと、プロセッサとを含み、該メモリにはコンピュータープログラムが記憶され、該プロセッサはコンピュータープログラムを実行することで上述したいずれかの方法実施例２のステップを実現するように構成される。
【０１１４】
選択的に、上記電子装置は伝送機器及び入出力機器をさらに含むことができる。ここで、該伝送機器は上記プロセッサに接続され、該入出力機器は上記プロセッサに接続される。
【０１１５】
選択的に、本実施例において、上記プロセッサは、
ネットワークにおける第１のＩＡＢノードが第３のＩＡＢノードとの接続から第４のＩＡＢノードとの接続に接続ハンドオーバー及び／又は接続再構築を完了した後、ＩＡＢ  Ｄｏｎｏｒノードから接続ハンドオーバー及び／又は接続再構築に関連するＩＡＢノードへルート配置情報を送信するＳ１と、
ＩＡＢ  Ｄｏｎｏｒノードが、関連するＩＡＢノードがルート配置情報に応答してフィードバックしたルート配置確認情報を受信するＳ２と、のステップを実現するように構成される。
【０１１６】
本開示の実施例においてさらに電子装置を提供し、メモリと、プロセッサとを含み、該メモリにはコンピュータープログラムが記憶され、該プロセッサはコンピュータープログラムを実行することで上述したいずれかの方法実施例３のステップを実現するように構成される。
【０１１７】
選択的に、上記電子装置は伝送機器及び入出力機器をさらに含むことができる。ここで、該伝送機器は上記プロセッサに接続され、該入出力機器は上記プロセッサに接続される。
選択的に、本実施例において、上記プロセッサは、
【０１１８】
ネットワークにおける第１のＩＡＢノードが第３のＩＡＢノードとの接続から第４のＩＡＢノードとの接続に接続ハンドオーバー及び／又は接続再構築を完了した後、第３のＡＢノードが、ＩＡＢ  Ｄｏｎｏｒノードへ下りデータ伝送状態情報を送信するＳ１のステップを実現するように構成される。
【０１１９】
選択的に、本実施例の具体的な例としては上記実施例及び代替可能な実施形態で説明した例を参照することができ、本実施例では詳細な説明を省略する。
【０１２０】
上述した本開示の各モジュール又は各ステップを汎用の計算装置によって実現することができ、１つの計算装置に集中させることができ、又は複数の計算装置からなるネットワークに分布させることもでき、また、計算装置が実行可能なプログラムコードによって実現してそれを記憶装置に記憶して計算装置に実行させることもでき、また、開示した又は説明したステップをここで説明した順とは異なる順で実行することもでき、又は別々の集積回路モジュールに制作するか、又はその中の複数のモジュール又はステップを１つの集積回路モジュールとすることができることを当業者は理解できる。このように、本開示は特定のハードウェアとソフトウェアとの組み合わせに限定されない。
【０１２１】
以上は、本開示の好適な実施例に過ぎず、本開示を限定するものではなく、当業者であれば本開示に様々な修正や変形が可能である。本開示の原則内での全ての修正、同等置換、改良などはいずれも本開示の保護範囲内に含まれる。
【産業上の利用可能性】
【０１２２】
本開示は通信分野に適用され、既存技術において無線リンクが変化されてＩＡＢノードが他のノードにハンドオーバーした後に下り通信を行うことができない問題を解決し、ＩＡＢノードによる完璧なハンドオーバーを確保する効果を実現することができる。
【図１】
2021529472.tif 000003
【図２】
2021529472.tif 000004
【図３】
2021529472.tif 000005
【図４】
2021529472.tif 000006
【図５】
2021529472.tif 000007
【図６】
2021529472.tif 000008
【図７】
2021529472.tif 000009
【図８】
2021529472.tif 000010
【図９】
2021529472.tif 000011
【図１０】
2021529472.tif 000012
【図１１】
2021529472.tif 000013
【図１２】
2021529472.tif 000014
【図１３】
2021529472.tif 000015
【図１４】
2021529472.tif 000016
【図１５】
2021529472.tif 000017
【手続補正書】
【提出日】令和3年2月26日(2021.2.26)
【手続補正１】
【補正対象書類名】特許請求の範囲
【補正対象項目名】全文
【補正方法】変更
【補正の内容】
【特許請求の範囲】
【請求項１】
アクセス・バックホール統合（ＩＡＢ）ネットワークにおけるＩＡＢノード情報の処理方法であって、
第２のＩＡＢノードが、接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信することを含む、ＩＡＢネットワークにおけるＩＡＢノード情報の処理方法。
【請求項２】
前記第２のＩＡＢノードが第１のＩＡＢノードから送信された通知情報を受信する前に、
前記ＩＡＢネットワークにおける第１のＩＡＢノードが、第３のＩＡＢノードから第４のＩＡＢノードへ接続ハンドオーバー及び／又は接続再構築することをさらに含む、請求項１に記載の方法。
【請求項３】
前記第２のＩＡＢノードが第１のＩＡＢノードから送信された通知情報を受信した後、
前記第２のＩＡＢノードが、前記通知情報を前記第２のＩＡＢに接続されたユーザ端末（ＵＥ）へ通知することをさらに含む、請求項２に記載の方法。
【請求項４】
前記第２のＩＡＢノードは、ＩＡＢノードとの間のインターフェースを介する方式、Ａｄａｐｔ層の制御ＰＤＵの交換を行う方式、ＩＡＢ  ＤｏｎｏｒによってＲＲＣ層のシグナル転送を行う方式、ＩＡＢ  ＤｏｎｏｒによってＦ１ＡＰ層のシグナル転送を行う方式のうちの少なくとも１つによって前記通知情報を受信する、請求項３に記載の方法。
【請求項５】
前記ＵＥは、各ＵＥと独立したＲＲＣ層のシグナル交換を行う方式、放送チャネルを介して通知する方式のうちの少なくとも１つによって前記通知情報を受信する、請求項３に記載の方法。
【請求項６】
アクセス・バックホール統合（ＩＡＢ）ネットワークにおけるＩＡＢノード情報の処理方法であって、
ＩＡＢネットワークにおける第１のＩＡＢノードが第３のＩＡＢノードから第４のＩＡＢノードへの接続ハンドオーバー及び／又は接続再構築を行う過程において、又は、ＩＡＢネットワークにおける第１のＩＡＢノードが第３のＩＡＢノードから第４のＩＡＢノードへの接続ハンドオーバー及び／又は接続再構築を完了した後、ＩＡＢ  Ｄｏｎｏｒノードが、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む、ルート更新に関連するＩＡＢノードへルート配置情報を送信することを含む、ＩＡＢネットワークにおけるＩＡＢノード情報の処理方法。
【請求項７】
ＩＡＢ  Ｄｏｎｏｒノードがルート更新に関連するＩＡＢノードへルート配置情報を送信した後、
前記ＩＡＢ  Ｄｏｎｏｒノードが、前記関連するＩＡＢノードから送信されたルート配置確認情報を受信することをさらに含む、請求項６に記載の方法。
【請求項８】
前記ＩＡＢ  Ｄｏｎｏｒノードが、前記第３のＩＡＢノードから前記第４のＩＡＢノードまでの一時的なルートを配置することをさらに含み、
前記一時的なルート配置は、前記一時的なルートにおける全てのＩＡＢノードのルート配置を含む、請求項６に記載の方法。
【請求項９】
前記ルート配置情報は、接続ハンドオーバー及び／又は接続再構築後に削除したルート情報、接続ハンドオーバー及び／又は接続再構築後に新規に配置されたルート配置情報、前記新規に配置されたルート配置情報の使用開始情報のうちの少なくとも１つを含み、
前記新規に配置されたルート配置情報は、新規に配置されたルートの前記第３のＩＡＢノード及び対応する次のホップの情報を含み、
前記次のホップの情報は、次のホップに隣接するＩＡＢノードの識別情報及び／又は次のホップに隣接するＩＡＢノードに対して送信を行ったＲＬＣエンティティの識別情報である、請求項６に記載の方法。
【請求項１０】
前記ルート配置情報又は前記ルート配置確認情報を伝送する方式は、ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、ＩＡＢノードとＩＡＢ  Ｄｏｎｏｒとの間のＡｄａｐｔ層制御メッセージを介する方式のうちの少なくとも１つを含む、請求項７に記載の方法。
【請求項１１】
アクセス・バックホール統合（ＩＡＢ）ネットワークにおけるＩＡＢノード情報の処理方法であって、
ＩＡＢネットワークにおける第１のＩＡＢノードが第３のＩＡＢノードから第４のＩＡＢノードへの接続ハンドオーバー及び／又は接続再構築を完了した後、前記第３のＩＡＢノードが、前記ＩＡＢ  Ｄｏｎｏｒノードへ下りデータ伝送状態情報を送信することを含む、ＩＡＢネットワークにおけるＩＡＢノード情報の処理方法。
【請求項１２】
前記下りデータ伝送状態情報は、各ＵＥベアラの識別子、前記ベアラの送信された最大のＰＤＣＰ  ＳＮ番号、前記ベアラの伝送に成功した最大のＰＤＣＰ  ＳＮ番号、前記ベアラの再伝送された最大のＰＤＣＰ  ＳＮ番号、及び、前記ベアラの再伝送に成功した最大のＰＤＣＰ  ＳＮ番号のうちの少なくとも１つの情報を含む請求項１１に記載の方法。
【請求項１３】
ＵＥベアラの識別子は、ＵＥ識別子及び論理リンク識別子、ＵＥ識別子及びベアラ識別子、ＩＡＢ  Ｄｏｎｏｒが各ＵＥベアラに配置したベアラ識別子であって、ＩＡＢネットワーク内での一意のグローバルベアラ識別子、ＴＥＩＤのうちの少なくとも１つを含む請求項１２に記載の方法。
【請求項１４】
前記下りデータ伝送状態情報を送信する方式は、
ＩＡＢノードとＩＡＢ  Ｄｏｎｏｒとの間のＲＲＣシグナルメッセージを介する方式、ＩＡＢノードとＩＡＢ  Ｄｏｎｏｒとの間のＦ１ＡＰメッセージを介する方式、及び、ＩＡＢノードとＩＡＢ  Ｄｏｎｏｒとの間のＡｄａｐｔ層制御メッセージを介する方式のうちの少なくとも１つを含む請求項１１に記載の方法。
【請求項１５】
前記第３のＩＡＢノードが、Ａｄａｐｔ層で各データパケットにおけるＵＥベアラ識別子とＰＤＣＰ  ＳＮ番号を読み取ることをさらに含む請求項１２に記載の方法。
【請求項１６】
アクセス・バックホール統合（ＩＡＢネットワーク）における第２のＩＡＢノード側に適用される、ＩＡＢネットワークにおけるＩＡＢノード情報の処理装置であって、
接続ハンドオーバーイベント及び／又は接続再構築イベントを通知するための通知情報、パケットデータコンバージェンスプロトコル（ＰＤＣＰ）状態の通報を指示するための指示情報のうちの少なくとも１つを含む通知情報であって、第１のＩＡＢノードから送信された通知情報を受信するように構成される第１の受信モジュールを含む、ＩＡＢネットワークにおけるＩＡＢノード情報の処理装置。
【請求項１７】
請求項２〜請求項５のうちのいずれか１項に記載な方法を実現するように構成される、請求項１６に記載の装置。
【請求項１８】
アクセス・バックホール統合（ＩＡＢ）ネットワークにおけるＩＡＢ  Ｄｏｎｏｒノード側に適用される、ＩＡＢネットワークにおけるＩＡＢノード情報の処理装置であって、
前記ＩＡＢネットワークにおける第１のＩＡＢノードが第３のＩＡＢノードから第４のＩＡＢノードへの接続ハンドオーバー及び／又は接続再構築を行う過程において、前記ＩＡＢネットワークにおける第１のＩＡＢノードが第３のＩＡＢノードから第４のＩＡＢノードへの接続ハンドオーバー及び／又は接続再構築を完了した後、前記第３のＩＡＢノード、前記第４のＩＡＢノード、接続ハンドオーバー及び／又は接続再構築する前に前記ＩＡＢネットワークにて使用していた旧ルートが経過したＩＡＢノード、接続ハンドオーバー及び／又は接続再構築した後に前記ＩＡＢネットワークにて使用されている新ルートが経過したＩＡＢノードのうちの少なくとも１つを含む、ルート更新に関連するＩＡＢノードへルート配置情報を送信するように構成される、第１の送信モジュールを含む、ＩＡＢネットワークにおけるＩＡＢノード情報の処理装置。
【請求項１９】
請求項７〜請求項１５のうちのいずれか１項に記載な方法を実現するように構成される、請求項１８に記載の装置。
【手続補正２】
【補正対象書類名】明細書
【補正対象項目名】００５１
【補正方法】変更
【補正の内容】
【００５１】
本実施例の代替可能な実施形態において、本実施例の方法はさらに以下のステップＳ６０６、Ｓ６０８、Ｓ６１０を含むことができる。
【手続補正３】
【補正対象書類名】明細書
【補正対象項目名】００５３
【補正方法】変更
【補正の内容】
【００５３】
ステップＳ６０８において、第３のＩＡＢノードは、受信できていない、即ち送信に成功していない下りデータパケットを一時的なルートを介して、第４のＩＡＢノードに送信する。
【手続補正４】
【補正対象書類名】明細書
【補正対象項目名】００５４
【補正方法】変更
【補正の内容】
【００５４】
ステップＳ６１０において、第３のＩＡＢノードは、ハンドオーバーを完了した後、下りデータパケットを再送信する。
【国際調査報告】
2021529472.tif 000018
2021529472.tif 000019
2021529472.tif 000020
2021529472.tif 000021
2021529472.tif 000022
2021529472.tif 000023